(57)【要約】【課題】  他物品を使用することなく、通常の本体ケースと蓋体との封止作業のみによって、後に開封したことが容易に分かる痕跡が残る搬送用ケースを提供すること。【解決手段】  上方に開口１１を有する直方体形状の本体ケース１０と、該本体ケース１０に嵌合して前記開口１１を塞ぐ矩形の蓋体２０とからなる搬送用ケース１において、前記本体ケース１０と蓋体２０との嵌合をきついものとすると共に、前記蓋体２０の角部板面に所定形状に割れるように切り込み溝２５，２６を形成した。【選択図】        図７
2005170463.tif 000002
【特許請求の範囲】
【請求項１】
上方に開口を有する直方体形状の本体ケースと、該本体ケースに嵌合して前記開口を塞ぐ矩形の蓋体とからなる搬送用ケースにおいて、前記本体ケースと蓋体との嵌合がきついものとされていると共に、前記蓋体の角部板面に切り込み溝が形成されていることを特徴とする、搬送用ケース。
【請求項２】
上記本体ケースと蓋体との嵌合が、本体ケースの開口の周壁上端に形成された凸部と、蓋体の下側板面に形成された凹部との嵌合によりなされていることを特徴とする、請求項１に記載の搬送用ケース。
【請求項３】
上記本体ケースに形成された凸部と蓋体に形成された凹部との嵌合部に、さらに各々係合する凹み及び／又は突起が形成されていることを特徴とする、請求項２に記載の搬送用ケース。
【請求項４】
上記蓋体に形成された切り込み溝が、蓋体の下側板面の角部に形成されていることを特徴とする、請求項１、２又は３に記載の搬送用ケース。
【請求項５】
上記蓋体に形成された切り込み溝が、蓋体の下側板面の角部に形成されていると共に、該切り込み溝が、蓋体に形成された上記嵌合凹部を横断して内方板面にまで達する状態で形成されていることを特徴とする、請求項２又は３に記載の搬送用ケース。
【請求項６】
上記蓋体に形成された切り込み溝が、蓋体の下側板面の角部に形成されていると共に、該切り込み溝が、蓋体に形成された上記嵌合凹部の底壁に沿って形成されていることを特徴とする、請求項２又は３に記載の搬送用ケース。
【請求項７】
上記本体ケース及び蓋体が、共に発泡ポリスチレンの型成形により形成されていることを特徴とする、請求項１、２、３、４、５又は６に記載の搬送用ケース。
【発明の詳細な説明】
【技術分野】
【０００１】
本発明は、搬送用ケースに関し、詳しくは、開封した痕跡の残る搬送用ケースに関するものである。
【背景技術】
【０００２】
種々の農産物、水産物を収納して搬送するために、発泡合成樹脂によって型成形された搬送用ケースが広く採用されている。そして、このような搬送用ケースは、物品を収納する本体ケースと、該本体ケースの開口を塞ぐ蓋体とから構成されている。
【０００３】
ここで、農産物、水産物は、その産地等によって品質に大きな差があり、市場において価格差を設けて取り引きされているのが実状である。例えば、日本産の「松茸」は、韓国産の「松茸」に比して香りがたかく、高価で取り引きされている。また、宮城県、広島県の「牡蠣」は、品質的にも優れており、やはり高価で取り引きされている。
【０００４】
このように品質的に差異のある農産物、水産物が、生産者から消費者への流通過程の途中において、その全部或いは一部が粗悪品と交換された場合には、市場の混乱を招くと共に、その取扱い業者、産地等の信用を失墜させる憂いがある。
【０００５】
そこで、従来より、農産物、水産物を収納した搬送用ケースが、その搬送途中において何者かが開封した場合には、その開封の痕跡が残るようにしたものがある。
例えば、農産物、水産物を収納した本体ケースと蓋体との合わせ部に、封印を施す。また、本体ケースと蓋体とを、切らなければ開封できない産地等を印刷した樹脂製バンドによって締結するなどの方策が採られている。
【発明の開示】
【発明が解決しようとする課題】
【０００６】
しかしながら、上記した方策は、いずれも封印紙、樹脂製バンドなどの他物品を使用するものであり、また、通常の本体ケースと蓋体との封止作業とは別に、封印紙を貼る作業、或いは樹脂製バンドを締結する作業などが必須となり、その作業が煩雑であると共に、コスト高の原因となっていた。
【０００７】
そこで、本発明が解決しようとする課題は、他物品を使用することなく、通常の本体ケースと蓋体との封止作業のみによって、後に開封したことが容易に分かる痕跡が残る搬送用ケースを提供することにある。
【課題を解決するための手段】
【０００８】
上記した課題を解決するため、請求項１の本発明では、上方に開口を有する直方体形状の本体ケースと、該本体ケースに嵌合して前記開口を塞ぐ矩形の蓋体とからなる搬送用ケースにおいて、前記本体ケースと蓋体との嵌合をきついものとすると共に、前記蓋体の角部板面に切り込み溝を形成した搬送用ケースとした。
【０００９】
また、請求項２の本発明では、上記請求項１の発明において、上記本体ケースと蓋体との嵌合を、本体ケースの開口の周壁上端に形成した凸部と、蓋体の下側板面に形成した凹部との嵌合によりなされる搬送用ケースとした。
【００１０】
また、請求項３の本発明では、上記請求項２の発明において、上記本体ケースに形成した凸部と蓋体に形成した凹部との嵌合部に、さらに各々係合する凹み及び／又は突起を形成した搬送用ケースとした。
【００１１】
また、請求項４の本発明では、上記請求項１、２又は３の発明において、上記切り込み溝を、蓋体の下側板面の角部に形成した搬送用ケースとした。
【００１２】
また、請求項５の本発明では、上記請求項２又は３の発明において、上記切り込み溝を、蓋体の下側板面の角部に形成すると共に、該切り込み溝を、蓋体に形成された上記嵌合凹部を横断して内方板面にまで達する状態で形成した搬送用ケースとした。
【００１３】
また、請求項６の本発明では、上記請求項２又は３の発明において、上記切り込み溝を、蓋体の下側板面の角部に形成すると共に、該切り込み溝を、蓋体に形成された上記嵌合凹部の底壁に沿って形成した搬送用ケースとした。
【００１４】
また、請求項７の本発明では、上記請求項１、２、３、４、５又は６の発明において、上記本体ケース及び蓋体を、共に発泡ポリスチレンの型成形により形成した搬送用ケースとした。
【発明の効果】
【００１５】
上記した請求項１の本発明に係る搬送用ケースによれば、本体ケースと蓋体との嵌合をきついものとすると共に、前記蓋体の角部板面に切り込み溝を形成したため、蓋体を開けようとすると、該切り込み溝に沿って蓋体の角部が割れてしまい、開封の痕跡が残るものとなる。
【００１６】
また、上記した請求項２の本発明に係る搬送用ケースによれば、上記本体ケースと蓋体との嵌合を、本体ケースの開口の周壁上端に形成した凸部と、蓋体の下側板面に形成した凹部との嵌合により成されるものとしたため、本体ケースの板厚を厚くすることなく、凸部と凹部との寸法差、嵌合深さ等を調製することにより、容易にきつい嵌合を実現することができる。
【００１７】
また、上記した請求項３の本発明に係る搬送用ケースによれば、上記本体ケースに形成した凸部と蓋体に形成した凹部との嵌合部に、さらに各々係合する凹み及び／又は突起を形成したため、更に本体ケースと蓋体との嵌合を強いものとすることができる。
【００１８】
また、上記した請求項４の本発明に係る搬送用ケースによれば、上記蓋体に形成する切り込み溝を、蓋体の下側板面の角部に形成したため、外見からは切り込み溝の存在が分からず、外観性が良いと共に、不正開封者に切り込み溝の存在を知られることがない。
【００１９】
また、上記した請求項５の本発明に係る搬送用ケースによれば、上記蓋体に形成する切り込み溝を、蓋体の下側板面の角部に形成すると共に、該切り込み溝を、蓋体に形成された上記嵌合凹部を横断して内方板面にまで達する状態で形成したため、蓋体を開けようとすると、蓋体は該切り込み溝に沿って本体ケースの開口の一部が現れる状態で割れることとなり、開封の痕跡が残ると共に、正当な開封者による場合は、該開封部を、例えば市場における「競り」等において内容物を確認する穴として利用することができ、また蓋体を完全に取り外す際のきっかけ穴として利用することができるものとなる。また、取り外した蓋体の角部は、その下側板面に嵌合凹部を有するものであるため、該嵌合凹部を利用して再び本体ケースに装着することも可能となる。
【００２０】
また、上記した請求項６の本発明に係る搬送用ケースによれば、上記蓋体に形成する切り込み溝を、蓋体の下側板面の角部に形成すると共に、該切り込み溝を、蓋体に形成された上記嵌合凹部の底壁に沿って形成したため、蓋体を開けようとすると、蓋体は該切り込み溝に沿って嵌合凹部を画成する外壁を含む外周壁部分のみが割れることとなり、開封の痕跡が残ると共に、該開封部には本体ケースの開口が現れないために、異物等が該開封部より本体ケース内に混入することはない。
【００２１】
また、上記した請求項７の本発明に係る搬送用ケースによれば、上記本体ケース及び蓋体を、共に発泡ポリスチレンの型成形により形成したため、軽量性、断熱性を備えたものとなると共に、容易に形成した切り込み溝に沿って蓋体が割れ、開封の痕跡が残るものとなる。
【発明を実施するための最良の形態】
【００２２】
以下に、上記した本発明に係る搬送用ケースの最良の実施の形態を、図面を参照しながら詳細に説明する。
【００２３】
ここで、図１は本発明に係る搬送用ケースの蓋体を開けた状態を示した斜視図、図２は本発明に係る搬送用ケースの蓋体を閉めた状態を示した斜視図、図３は図２のＡ−Ａ線に沿う部分の拡大断面図である。また、図４は本発明に係る搬送用ケースの蓋体の下側板面を示した図、図５は図４のＢ−Ｂ線に沿う部分の拡大断面図、図６は図４のＣ−Ｃ線に沿う部分の拡大断面図である。また、図７は本発明に係る搬送用ケースを開封した状態を示した斜視図である。
【００２４】
図示した本発明に係る搬送用ケース１は、上方に開口１１を有する直方体形状の本体ケース１０と、該本体ケース１０の前記開口１１を塞ぐ矩形の蓋体２０とから構成されている。
上記本体ケース１０及び蓋体２０は、共に発泡合成樹脂、具体的には発泡ポリスチレンにより型成形されており、軽量性、断熱性を備えたケースとされている。
【００２５】
上記本体ケース１０には、図示したように、相対向する側壁１０ａ，１０ａの下端に、取っ手となる凹部１２，１２が形成されている。また、全側壁１０ａの上端、即ち開口１１の周壁上端には、嵌合凸部１３が形成され、該嵌合凸部１３の基部付近には、浅い凹み１３ａがその内外壁の全周に渡って形成されている。また、本体ケース１０の相対向する角部に位置する周壁上端には、前記嵌合凸部１３の外周に沿う状態で凸状段部１４が形成され、該凸状段部１４の更に角部に位置する部分には、蓋体２０を取る際の指挿入部となる凹状段部１５が形成されている。更に、本体ケース１０の底壁１０ｂの下面には、図３に示したように、積み重ねた際の位置ズレを防止する係合凸部１６が形成されている。
【００２６】
一方、上記蓋体２０には、その上側板面２０ａに、上記本体ケース１０の底壁下面に形成された係合凸部１６が係合する凹部２１が形成され、該係合凹部２１を画成する周辺壁部には、水抜き及び締結バンドの位置ズレ防止を兼ねた切り欠き２２が複数形成されている。また、蓋体２０の下側板面２０ｂには、図４に示したように、上記本体ケース１０の周壁上端に形成された嵌合凸部１３が嵌合する凹部２３が形成され、該嵌合凹部２３の入口付近には、図５及び図６に示したように、前記嵌合凸部１３に形成された凹み１３ａに係合する突起２３ａが、該嵌合凹部２３を画成する内外壁に形成されている。
【００２７】
また、上記蓋体２０の相対向する角部に位置する下側板面２０ｂには、上記本体ケース１０の相対向する角部に位置する周壁上端に形成された凸状段部１４が嵌入する凹状段部２４が形成され、該凹状段部２４の存在により、この部分の上記嵌合凹部２３の深さは他の部分に比して浅いものと成っている。そして、この凹状段部２４が形成された部分に、図４及び図５に示したように、前記嵌合凹部２３を横断して内方板面にまで達する切り込み溝２５が形成され、該切り込み溝２５の存在によって、蓋体２０の角部の一部が、本体ケース１０の開口１１の一部が現れる状態で容易に割れるように構成されている。
【００２８】
また、上記蓋体２０の上記とは異なる他方の相対向する角部に位置する下側板面２０ｂには、図４及び図６に示したように、上記嵌合凹部２３の底壁に沿って嵌合凹部２３の幅より若干幅の狭い切り込み溝２６が形成され、該切り込み溝２６の存在によって、蓋体２０の角部の一部が、嵌合凹部２３を画成する外壁を含む外周壁部分のみが外れる状態で容易に割れるように構成されている。
【００２９】
上記のように構成された本発明に係る搬送用ケース１は、図１に示したように、蓋体２０を開けた状態で、本体ケース１０内に農産物、水産物等の物品が収納される。そして、物品が収納された後に、蓋体２０を閉めると、該蓋体２０と本体ケース１０とは、図３に示したように、凸部１３と凹部２３との嵌合、更には該嵌合部に設けた凹み１３ａと突起２３ａとの係合によって、強固に結合される。
【００３０】
そして、この状態で農産物、水産物は、本発明に係る搬送用ケース１を利用してトラック、列車、船等によって搬送される。
この搬送途中において、何者かが本発明に係る搬送用ケース１を不正に開けようとして、図２に示されている本体ケース１０の凹状段部１５に指を挿入し、蓋体２０を上方に引き上げると、上記したように蓋体２０と本体ケース１０とは強固に結合されていると共に、蓋体２０には切り込み溝２５が形成されているため、蓋体２０は該切り込み溝２５に沿って割れ、図７に示したように、蓋体２０の角部の一部Ｘのみが取り外される。
また、指の挿入部である凹状段部１５が形成されていない本体ケース１０の角部から蓋体２０を開けようとした場合には、該角部に位置する蓋体２０には、やはり切り込み溝２６が形成されているため、蓋体２０は該切り込み溝２６に沿って割れ、図７に示したように、やはり蓋体２０の角部の一部Ｙのみが取り外される。
このようにして、蓋体２０には開封した痕跡が割れとして残ることとなり、搬送途中において何者かが開封したこと、或いは開封しようとしたことを外見から判断することができる。
【００３１】
また、本発明に係る搬送用ケース１を利用して農産物、水産物を搬送した後、市場における「競り」等のために開封し、内容物のチェックが必要である場合には、本体ケース１０の凹状段部１５に指を挿入し、蓋体２０を上方に引き上げることにより、蓋体２０を切り込み溝２５に沿って割り、図７に示したように、蓋体２０の角部の一部Ｘを、本体ケース１０の開口１１の一部が現れる状態で取り外し、該開口１１から内容物のチェックが可能となる。そして、内容物をチェックした後は、取り外した蓋体２０の一部Ｘを、その下側板面２０ｂに存在する嵌合凹部２３を利用し、図７に示したように、本体ケース１０の嵌合凸部１３に再び嵌合して取付けることができる。
【００３２】
また、蓋体２０を本体ケース１０から完全に取り外す際は、上記と同様に、本体ケース１０の凹状段部１５に指を挿入し、蓋体２０を上方に引き上げることにより、蓋体２０を切り込み溝２５に沿って割り、現れた本体ケース１０の開口１１より腕を内部に挿入し、蓋体２０を内側より上方へ持ち上げることにより、蓋体２０を細かく破壊することなく本体ケース１０から取り外すことができる。
【００３３】
以上、本発明に係る搬送用ケースの最良の実施の形態を説明したが、本発明は、何ら既述の実施の形態に限定されず、特許請求の範囲に記載した本発明の技術的思想の範囲において、種々の変形及び変更が可能である。
【００３４】
例えば、上記実施の形態においては、蓋体２０の角部板面に、２種類の異なる切り込み溝２５、２６を形成したものにつき説明したが、いずれか１種類の切り込み溝を、全ての角部に形成したものとしても良い。但し、内容物のチェック、また蓋体の完全な取り外し等を考慮した場合、少なくとも１つの角部は、本体ケース１０の開口１１の一部が現れる状態で蓋体２０の角部が割れる、切り込み溝２５とすることが好ましい。
【００３５】
また、上記実施の形態においては、本体ケース１０と蓋体２０との嵌合を、本体ケース１０の周壁上端に形成した凸部１３と、蓋体２０の下側板面に形成した凹部２３との嵌合によりなされるものにつき説明したが、凸部と凹部との形成位置を逆にしても良く、また、両者が混在した嵌合構造としても良い。但し、本体ケース１０の周壁（側壁）の板厚を考慮した場合、本体ケースに嵌合凸部を形成することが、本体ケースの板厚を厚くすることなく、強い嵌合が得られる構造とすることができるために好ましい。
【００３６】
また、上記実施の形態においては、本体ケース１０及び蓋体２０を、共に発泡ポリスチレンにより型成形したものにつき説明したが、他の発泡合成樹脂、例えば、発泡ポリエチレン、発泡ポリプロピレン、発泡ポリ塩化ビニル、発泡ポリアミド、発泡ポリウレタン等の各種の樹脂で形成することもできる。但し、軽量性、切り込み溝に沿った割れ性、更には経済性を考慮した場合、発泡ポリスチレンにより型成形されているものとすることが好ましい。
【図面の簡単な説明】
【００３７】
【図１】本発明に係る搬送用ケースの蓋体を開けた状態を示した斜視図である。
【図２】本発明に係る搬送用ケースの蓋体を閉めた状態を示した斜視図である。
【図３】図２のＡ−Ａ線に沿う部分の拡大断面図である。
【図４】本発明に係る搬送用ケースの蓋体の下側板面を示した図である。
【図５】図４のＢ−Ｂ線に沿う部分の拡大断面図である。
【図６】図４のＣ−Ｃ線に沿う部分の拡大断面図である。
【図７】本発明に係る搬送用ケースを開封した状態を示した斜視図である
【符号の説明】
【００３８】
１          搬送用ケース
１０        本体ケース
１０ａ      側壁（周壁）
１０ｂ      底壁
１１        開口
１２        凹部（取っ手）
１３        嵌合凸部
１３ａ      凹み
１４        凸状段部
１５        凹状段部（指挿入部）
１６        係合凸部
２０        蓋体
２０ａ      上側板面
２０ｂ      下側板面
２１        係合凹部
２２        切り欠き
２３        嵌合凹部
２３        突起
２４        凹状段部
２５，２６  切り込み溝
Ｘ，Ｙ      割れた蓋体の角部
【図１】
2005170463.tif 000003
【図２】
2005170463.tif 000004
【図３】
2005170463.tif 000005
【図４】
2005170463.tif 000006
【図５】
2005170463.tif 000007
【図６】
2005170463.tif 000008
【図７】
2005170463.tif 000009